(57)【特許請求の範囲】
【請求項１】
各々が光学系を有する一組の接合対象とそれぞれ接合するとともに、該一組の接合対象間の光軸を調整する光軸調整装置であって、
中空円筒状をなし、高さ方向の一端で前記一組の接合対象の一方の接合対象と接合する第１接合部と、
前記第１接合部を保持可能な中空部が設けられ、前記第１接合部を保持する側と異なる側の端部で前記一組の接合対象の他方の接合対象と接合する第２接合部と、
荷重が加わらない状態で前記第２接合部に保持される２つの被保持部を有し、前記第１接合部と当接して該第１接合部を付勢するとともに、該付勢時において前記被保持部と異なる位置で前記第２接合部と当接する略矩形状の板ばねと、
前記板ばねとの間で前記第１接合部を挟持して、前記第１接合部の位置を調整する調整手段と、
を備え、
前記２つの被保持部は、前記板ばねにおける一組の平行な辺において同じ側の端部から、該辺と垂直な方向にそれぞれ突出した形状をなし、
前記第２接合部は、前記中空部との境界をなす内壁の一部がそれぞれ穿孔されて設けられ、各被保持部をそれぞれ保持する２つの保持孔を有することを特徴とする光軸調整装置。
【請求項２】
非弾性変形時の前記被保持部の突出端間の距離は、前記保持孔の外縁側端部間の距離以下であって、
前記一組の平行な辺の間の距離は、前記保持孔の内縁側端部間の距離より大きいことを特徴とする請求項１に記載の光軸調整装置。
【請求項３】
各々が光学系を有する一組の接合対象とそれぞれ接合するとともに、該一組の接合対象間の光軸を調整する光軸調整装置であって、
中空円筒状をなし、高さ方向の一端で前記一組の接合対象の一方の接合対象と接合する第１接合部と、
前記第１接合部を保持可能な中空部が設けられ、前記第１接合部を保持する側と異なる側の端部で前記一組の接合対象の他方の接合対象と接合する第２接合部と、
荷重が加わらない状態で前記第２接合部に保持される被保持部を有し、前記第１接合部と当接して該第１接合部を付勢するとともに、該付勢時において前記被保持部と異なる位置で前記第２接合部と当接する略矩形状の板ばねと、
前記板ばねとの間で前記第１接合部を挟持して、前記第１接合部の位置を調整する調整手段と、
を備え、
前記被保持部は、前記板ばねにおける一つの辺の中央部に設けられ、該辺と垂直な方向に突出した形状をなし、
前記第２接合部は、
前記中空部との境界をなす内壁が前記第２接合部の中心軸に沿って段付き形状をなし、
前記段付き形状の段部に設けられ、前記被保持部を保持する保持孔を有する
ことを特徴とする光軸調整装置。
【請求項４】
各々が光学系を有する一組の接合対象とそれぞれ接合するとともに、該一組の接合対象間の光軸を調整する光軸調整装置であって、
中空円筒状をなし、高さ方向の一端で前記一組の接合対象の一方の接合対象と接合する第１接合部と、
前記第１接合部を保持可能な中空部が設けられ、前記第１接合部を保持する側と異なる側の端部で前記一組の接合対象の他方の接合対象と接合する第２接合部と、
荷重が加わらない状態で前記第２接合部に保持される被保持部を有し、前記第１接合部と当接して該第１接合部を付勢するとともに、該付勢時において前記被保持部と異なる位置で前記第２接合部と当接する略矩形状の板ばねと、
前記板ばねとの間で前記第１接合部を挟持して、前記第１接合部の位置を調整する調整手段と、
を備え、
前記第２接合部は、該第２接合部の内壁に設けられ、前記第２接合部の中心軸に沿って延びる２つの保持溝を有し、
非弾性変形時の前記板ばねにおける一組の平行な辺の間の距離は、前記保持溝の外縁側端部間の距離以下であって、前記保持溝の内縁側端部間の距離より大きいことを特徴とする光軸調整装置。
【請求項５】
前記調整手段は、外部から前記中空部に向けて螺合され、前記中空部で保持された前記第１接合部に当接して該第１接合部の位置の調整を行う調整ねじであることを特徴とする請求項１〜４のいずれか一つに記載の光軸調整装置。
【請求項６】
前記第１接合部と前記板ばねとの接触部分に対応する部分に設けられ、前記第２接合部の外部側から内部側に向けて挿通されて前記板ばねに当接し、前記第１接合部を固定する固定ねじをさらに備えたことを特徴とする請求項１〜４のいずれか一つに記載の光軸調整装置。
【請求項７】
前記板ばねは、前記接触部分に対応した位置に設けられ、前記固定ねじを挿通可能な穴部を有し、
前記第１接合部と前記板ばねとの接触部分に対応する部分に設けられ、前記第２接合部の外部側から内部側に向けて挿通されるとともに、前記穴部を挿通して前記第１接合部と当接し、前記第１接合部を固定する固定ねじをさらに備えたことを特徴とする請求項１〜４のいずれか一つに記載の光軸調整装置。
【発明の詳細な説明】
【技術分野】
【０００１】
本発明は、例えば、顕微鏡や顕微鏡とテレビカメラと接続するアダプタ等に搭載され、接続部分の光学系の光軸の調整を行う光軸調整装置に関するものである。
【背景技術】
【０００２】
従来から、顕微鏡や顕微鏡とテレビカメラとを接続するアダプタ等に搭載され、光学系の光軸の調整を行う光軸調整装置が用いられている。この光軸調整装置によって、顕微鏡における光学系の光軸、および顕微鏡とテレビカメラとの間の光軸が調整（心出し）され、観察対象の標本を明確に観察することができる。
【０００３】
ここで、従来の光軸調整装置として、無限遠設計された対物レンズを複数本取り付け可能なレボルバと顕微鏡本体との間に、着脱可能で光軸に対し垂直な方向に微調整可能な光軸調整ユニットが開示されている（例えば、特許文献１を参照）。この光軸調整ユニットは、板ばねによって付勢された内側リング（円筒部）に対して心出しつまみを用いて位置調整することで、光軸の調整を行う。また、板ばねは、外側リングの壁面から内側リングに向けて凸状に湾曲（弾性変形）して内側リングに当接している。
【先行技術文献】
【特許文献】
【０００４】
【特許文献１】実開平４−１２６２１３号公報
【発明の概要】
【発明が解決しようとする課題】
【０００５】
しかしながら、特許文献１が開示する光軸調整ユニットは、板ばねが湾曲された状態（弾性変形を維持した状態）で配置されているため、外側リングと板ばねとの間の空間によって光軸調整ユニット全体が大型化してしまうという問題があった。
【０００６】
また、特許文献１が開示する光軸調整ユニットは、板ばねの弾性変形の支点となる部分が固定されているため、内側リングからの荷重が板ばねの面に対して垂直な方向からずれた際、板ばねの弾性変形（変形する方向）にずれ（こじれ）が生じ、その結果、本来内側リングに対して加わるべき付勢力の大きさが変わってしまい、内側リングの位置調整の調整範囲が狭くなってしまうおそれがあった。
【０００７】
本発明は、上記に鑑みてなされたものであり、装置全体の大型化を抑制するとともに、光軸の調整範囲を維持し、確実に光軸調整を行うことができる光軸調整装置を提供することを目的とする。
【課題を解決するための手段】
【０００８】
上述した課題を解決し、目的を達成するために、本発明にかかる光軸調整装置は、各々が光学系を有する一組の接合対象とそれぞれ接合するとともに、該一組の接合対象間の光軸を調整する光軸調整装置であって、中空円筒状をなし、高さ方向の一端で前記一組の接合対象の一方の接合対象と接合する第１接合部と、前記第１接合部を保持可能な中空部が設けられ、前記第１接合部を保持する側と異なる側の端部で前記一組の接合対象の他方の接合対象と接合する第２接合部と、略矩形状をなし、荷重が加わらない状態で前記第２接合部に保持される被保持部を有し、前記第１接合部と当接して該第１接合部を付勢するとともに、該付勢時において前記被保持部と異なる位置で前記第２接合部と当接する板ばねと、前記板ばねとの間で前記第１接合部を挟持して、前記第１接合部の位置を調整する調整手段と、を備えたことを特徴とする。
【０００９】
また、本発明にかかる光軸調整装置は、上記の発明において、前記調整手段は、外部から前記中空部に向けて螺合され、前記中空部で保持された前記第１接合部に当接して該第１接合部の位置の調整を行う調整ねじであることを特徴とする。
【００１０】
また、本発明にかかる光軸調整装置は、上記の発明において、前記被保持部を２つ有し、２つの前記被保持部は、前記板ばねにおける一組の平行な辺において同じ側の端部から、該辺と垂直な方向にそれぞれ突出した形状をなし、前記第２接合部は、前記中空部との境界をなす内壁の一部がそれぞれ穿孔されて設けられ、各被保持部をそれぞれ保持する２つの保持孔を有することを特徴とする。
【００１１】
また、本発明にかかる光軸調整装置は、上記の発明において、非弾性変形時の前記被保持部の突出端間の距離は、前記保持孔の外縁側端部間の距離以下であって、前記一組の平行な辺の間の距離は、前記保持孔の内縁側端部間の距離より大きいことを特徴とする。
【００１２】
また、本発明にかかる光軸調整装置は、上記の発明において、前記被保持部は、前記板ばねにおける一つの辺の中央部に設けられ、該辺と垂直な方向に突出した形状をなし、前記第２接合部は、前記中空部との境界をなす内壁が前記第２接合部の中心軸に沿って段付き形状をなし、前記段付き形状の段部に設けられ、前記被保持部を保持する保持孔を有することを特徴とする。
【００１３】
また、本発明にかかる光軸調整装置は、上記の発明において、前記第２接合部は、該第２接合部の内壁に設けられ、前記第２接合部の中心軸に沿って延びる２つの保持溝を有することを特徴とする。
【００１４】
また、本発明にかかる光軸調整装置は、上記の発明において、非弾性変形時の前記板ばねにおける一組の平行な辺の間の距離は、前記保持溝の外縁側端部間の距離以下であって、前記保持溝の内縁側端部間の距離より大きいことを特徴とする。
【００１５】
また、本発明にかかる光軸調整装置は、上記の発明において、前記第１接合部と前記板ばねとの接触部分に対応する部分に設けられ、前記第２接合部の外部側から内部側に向けて挿通されて前記板ばねに当接し、前記第１接合部を固定する固定ねじをさらに備えたことを特徴とする。
【００１６】
また、本発明にかかる光軸調整装置は、上記の発明において、前記板ばねは、前記接触部分に対応した位置に設けられ、前記固定ねじを挿通可能な穴部を有し、前記第１接合部と前記板ばねとの接触部分に対応する部分に設けられ、前記第２接合部の外部側から内部側に向けて挿通されるとともに、前記穴部を挿通して前記第１接合部と当接し、前記第１接合部を固定する固定ねじをさらに備えたことを特徴とする。
【発明の効果】
【００１７】
本発明にかかる光軸調整装置は、板ばねが、荷重が加わらない状態で第２接合部に保持されるとともに、第１接合部と当接して弾性変形する際、弾性変形する支点部分が第２接合部で保持される部分と異なるようにしたので、装置全体の大型化を抑制するとともに、光軸の調整範囲を維持し、確実に光軸調整を行うことができるという効果を奏する。
【図面の簡単な説明】
【００１８】
【図１】図１は、本発明の実施の形態１にかかる顕微鏡システムの全体構成を示す模式図である。
【図２】図２は、図１に示す顕微鏡システムのアダプタにおけるＡ−Ａ線断面を示す部分断面図である。
【図３】図３は、本発明の実施の形態１にかかる光軸調整装置の第２接合部の構成を模式的に示す上面図である。
【図４】図４は、図３に示す第２接合部のＢ−Ｂ線断面を示す断面図である。
【図５】図５は、本発明の実施の形態１にかかる光軸調整装置の板ばねの構成を示す模式図である。
【図６】図６は、本発明の実施の形態１にかかる光軸調整装置の要部の構成を示す部分断面図である。
【図７】図７は、本発明の実施の形態１にかかる光軸調整装置の要部の構成を説明する図である。
【図８】図８は、本発明の実施の形態１にかかる光軸調整装置の要部の構成を説明する図である。
【図９】図９は、本発明の実施の形態１の変形例にかかる光軸調整装置の板ばねの構成を示す模式図である。
【図１０】図１０は、本発明の実施の形態１の変形例にかかる光軸調整装置の要部の構成を示す断面図である。
【図１１】図１１は、本発明の実施の形態２にかかる光軸調整装置の板ばねの構成を示す模式図である。
【図１２】図１２は、本発明の実施の形態２にかかる光軸調整装置の要部の構成を説明する図である。
【図１３】図１３は、図１２に示す第２接合部のＣ−Ｃ線断面を示す断面図である。
【図１４】図１４は、本発明の実施の形態２の変形例にかかる光軸調整装置の板ばねの構成を示す模式図である。
【図１５】図１５は、本発明の実施の形態３にかかる光軸調整装置の板ばねの構成を示す模式図である。
【図１６】図１６は、本発明の実施の形態３にかかる光軸調整装置の要部の構成を説明する図である。
【図１７】図１７は、本発明の実施の形態３にかかる光軸調整装置の要部の構成を説明する図である。
【図１８】図１８は、本発明の実施の形態３にかかる光軸調整装置の要部の構成を説明する図である。
【図１９】図１９は、本発明の実施の形態３の変形例１にかかる光軸調整装置の板ばねの構成を示す模式図である。
【図２０】図２０は、本発明の実施の形態３の変形例１にかかる光軸調整装置の要部の構成を示す断面図である。
【図２１】図２１は、本発明の実施の形態３の変形例２にかかる光軸調整装置の要部の構成を示す断面図である。
【発明を実施するための形態】
【００１９】
以下、本発明を実施するための形態を図面と共に詳細に説明する。なお、以下の実施の形態により本発明が限定されるものではない。また、以下の説明において参照する各図は、本発明の内容を理解し得る程度に形状、大きさ、および位置関係を概略的に示してあるに過ぎない。すなわち、本発明は各図で例示された形状、大きさ、および位置関係のみに限定されるものではない。なお、以下の説明では、顕微鏡とテレビカメラとを接続する光軸調整装置としてのアダプタを例に説明する。
【００２０】
（実施の形態１）
まず、本実施の形態１にかかる顕微鏡システムについて、図面を参照して詳細に説明する。図１は、本実施の形態１にかかる顕微鏡システムの全体構成を示す模式図である。図２は、図１に示す顕微鏡システムのアダプタにおけるＡ−Ａ線断面を示す部分断面図である。本実施の形態１にかかる顕微鏡システム１は、標本を拡大観察する顕微鏡１ａと、顕微鏡１ａが拡大した標本の観察画像を撮像するテレビカメラ１ｂと、顕微鏡１ａおよびテレビカメラ１ｂを接続する光軸調整装置としてのアダプタ１ｃとを備える。
【００２１】
顕微鏡１ａは、図１に示すように、対象標本が載置されるステージ１０と、側面視略コの字状を有し、ステージ１０を支持するとともにレボルバ１１を介して対物レンズを保持する顕微鏡本体１２と、顕微鏡本体１２の底部後方（図１の右方）に配設された透過照明用光源１３と、顕微鏡本体１２の上部後方（図１の右方）に配設された落射照明用光源１４と、顕微鏡本体１２の上部に載置された鏡筒１５とを備える。また、鏡筒１５には、対象標本の標本像を目視観察するための双眼部１６が取り付けられている。
【００２２】
鏡筒１５は、観察光の光路を切り換えて観察光を双眼部１６またはテレビカメラ１ｂへと導くビームスプリッタを内設している。対象標本の標本像は、このビームスプリッタによって双眼部１６内に導入され、接眼レンズを介して検鏡者に目視観察される。あるいはテレビカメラ１ｂによって撮像される。
【００２３】
テレビカメラ１ｂは、標本像（詳細には対物レンズの視野範囲）を結像するＣＣＤやＣＭＯＳ等の撮像素子を備えて構成され、標本像を撮像する。また、鏡筒１５の上部には、接続ポートが設けられ、テレビカメラ１ｂが光軸調整装置としてのアダプタ１ｃを介して着脱自在に接続される。なお、接続ポートは、上述したテレビカメラ１ｂのほか、ＣＣＤカメラ、フィルムカメラ等の撮像装置と接続可能である。
【００２４】
アダプタ１ｃは、顕微鏡１ａ（鏡筒１５）とテレビカメラ１ｂとの間に設けられ、顕微鏡１ａおよびテレビカメラ１ｂとを接続する。この際、アダプタ１ｃは、接続部分において顕微鏡１ａの光軸とテレビカメラ１ｂの光軸とを一致させる機能を有する（心出し機構）。アダプタ１ｃによって、例えば、顕微鏡１ａの光軸とテレビカメラ１ｂの光軸とが一致することにより、図１に示す光軸Ｎを形成する。
【００２５】
アダプタ１ｃは、中空円筒状をなし、高さ方向の一端でテレビカメラ１ｂと接合する第１接合部２と、第１接合部２を保持可能な中空部が設けられ、第１接合部２を保持する側と異なる側の端部で顕微鏡１ａ（鏡筒１５）と接合する第２接合部３と、第２接合部３に保持されて、第１接合部２に対して付勢する板ばね４と、を備える。
【００２６】
また、アダプタ１ｃは、第１接合部２に対し、第２接合部３の中心軸に向けて荷重を加えるとともに、板ばね４との間で第１接合部２を挟み込んで、第１接合部２の位置の調整を行う調整手段としての２つの調整ねじ５ａと、板ばね４の第１接合部２との当接位置に設けられ、板ばね４と調整ねじ５ａとによって決められた第１接合部２の位置を固定する固定ねじ６とを有する。調整ねじ５ａは、第２接合部２の外部から内部に向けて螺合され、第２接合部３に保持された第１接合部２に当接する。このとき、第２接合部３に対する板ばね４と第１接合部２との当接位置を調節することによって、第２接合部３に対する第１接合部２の位置を調節する。
【００２７】
図３は、第２接合部３の構成を模式的に示す上面図である。図４は、図３に示す第２接合部３のＢ−Ｂ線断面を示す断面図である。第２接合部３には、第２接合部３の中心軸Ｎａに沿って段付き形状をなす中空円筒状の本体部３０の内壁の上端から穿孔され、図２に示す板ばね４を保持する２つの保持孔３０ａが設けられている。また、本体部３０には、外部から中心軸Ｎａに向かって刳り抜かれ、上述した調整ねじ５ａを保持するねじ穴３０ｂ，３０ｃ、および上述した固定ねじ６を保持するねじ穴３０ｄが形成されている。なお、ねじ穴３０ｂ，３０ｃ，３０ｄは、本体部３０が形成する円形断面の内周を３等分する位置に形成されることが好ましい。
【００２８】
図５は、板ばね４の構成を示す模式図である。板ばね４は、略矩形の平板状をなし、弾性変形に応じた荷重が加わらない状態で第２接合部３に保持されるとともに、第１接合部２と当接した際に、第１接合部２からの荷重に応じて第１接合部２に対して荷重を加える。また、板ばね４は、一組の平行な辺において同じ側の端部から、該辺と垂直な方向にそれぞれ突出する被保持部としての一組（２つ）の係止部４０ａと、係止部４０ａが設けられる辺であって、板ばね４が弾性変形する際に第２接合部３と当接し、弾性変形の支点となる一組の弾性支点部４０ｂと、を有する。
【００２９】
ここで、非弾性変形時の板ばね４において、２つの係止部４０ａの突出端間の距離ｄ１が、図６に示す２つの保持孔３０ａの外縁側端部間の距離ｄ２以下となるように形成される。また、板ばね４は、２つの弾性支点部４０ｂ間の距離ｄ３が、２つの保持孔３０ａの内縁側端部間の距離ｄ４より大きくなるように形成される。
【００３０】
次に、アダプタ１８の組立てについて、図７，８を参照して説明する。まず、図７に示すように、第２接合部３の保持孔３０ａに板ばね４の係止部４０ａを挿入する。このとき、板ばね４は、上述した長さの関係により、弾性変形することがない。
【００３１】
その後、図８に示すように、第１接合部２を本体部３０の内部空間に挿入する。このとき、第１接合部２は、板ばね４と本体部３０の内壁との間に挿入される。ここで、板ばね４は、第１接合部２と当接してもよいし、第１接合部２と触れなくてもよい。また、第２接合部３において、段付き形状の小径部分の径は、第１接合部２の径より小さく形成される。このため、段付き形状の大径側の端部から挿入された第２接合部３が反対側の端部（小径側の端部）から抜け落ちることはない。
【００３２】
第１接合部２を第２接合部３内に挿入後、ねじ穴３０ｂ，３０ｃに調整ねじ５ａを中心軸Ｎａと略直交する方向から挿入（螺合）し、調整ねじ５ａの押圧力および板ばね４の付勢力によって第１接合部２の第２接合部３内における位置の調整を行う（図２参照）。第１接合部２の位置が決まると、ねじ穴３０ｄに固定ねじ６を挿入して、調整ねじ５ａおよび固定ねじ６によって第１接合部２を３点で支持して固定する。なお、固定ねじ６は板ばね４に当接し、板ばね４を介して第１接合部２を支持する。
【００３３】
ここで、板ばね４は、調整ねじ５ａによって押し込まれた第１接合部２の側面と当接することで加わる荷重によって弾性変形する。板ばね４は、弾性変形する際、弾性支点部４０ｂが本体部３０の内側面に当接し、この弾性支点部４０ｂと内側面との当接部分を支点として弾性変形する。なお、この際、係止部４０ａには、保持孔３０ａにおける第２接合部３の中心軸Ｎａと平行な面（側面）からの荷重が加わらない。このため、係止部４０ａは、板ばね４の弾性変形に応じて伸縮する。
【００３４】
上述した本実施の形態１によれば、弾性変形に応じた荷重が加わらない状態で板ばねが第２接合部に保持されるとともに、板ばねに対して第１接合部からの荷重が加わった際に、板ばねが弾性変形する支点部分が第２接合部で保持される部分と異なるようにしたので、第２接合部と板ばねとの間の空間が増大することを抑えて、アダプタ全体が大型化することを抑制するとともに、ずれ（こじれ）の発生を防止し、光軸の調整にかかる調整範囲を維持して、確実な光軸調整を行うことができる。
【００３５】
ここで、従来のように、板ばねに付勢力が働いた状態で弾性変形の支点となる部分が固定されている場合、第１接合部からの荷重が板ばねの面に対して垂直な方向からずれた際、板ばねの弾性変形（変形する方向）にずれ（こじれ）が生じ、本来第１接合部に対して加わるべき付勢力の大きさが変わってしまい、第１接合部の位置調整の調整範囲が狭くなってしまうおそれがあった。また、板ばねの弾性変形（変形する方向）にずれが生じることにより、第１接合部が第２接合部に対して傾斜して、調整ねじおよび固定ねじによる支持位置がずれ、光軸の調整が困難になってしまうおそれがあった。
【００３６】
一方、本実施の形態１では、板ばねが弾性変形に応じた荷重が加わらない状態で保持されるとともに、弾性変形する支点部分が第２接合部で保持される部分と異なるため、第１接合部からの荷重が板ばねの面に対して垂直な方向からずれた場合であっても、所定位置に固定されていない板ばねが第１接合部のずれに対する追従性を有し、第１接合部に加える付勢力を均一なものとすることができる。これにより、調整ねじおよび固定ねじによる支持位置のずれを防止するとともに、本来第１接合部に対して加わるべき付勢力を維持し、調整範囲の狭小化を抑制することが可能となる。
【００３７】
なお、調整手段は、調整ねじを２つ有するものとして説明したが、３以上の調整ねじを有するものであってもよい。調整手段は、第２接合部に挿通および固定されるものであればよく、ピンおよびピンを固定する固定部材からなるものであってもよい。このとき、調整手段は、板ばねとの間で第１接合部を挟持可能な位置に配設される。また、係止部と弾性支点部とは、少なくとも弾性支点部の長さが係止部の先端部分の長さより大きければよい。
【００３８】
図９は、本実施の形態１の変形例にかかるアダプタの板ばねの構成を示す模式図である。図１０は、本実施の形態１の変形例にかかるアダプタの要部の構成を示す断面図である。図９に示す板ばね４ａは、上述した係止部４０ａおよび弾性支点部４０ｂに加え、穴部４０ｃが設けられている。穴部４０ｃは、図１０に示すように、板ばね４ａが第２接合部３に保持された際に、ねじ穴３０ｄと重なる位置に配置され、開口面積が、ねじ穴３０ｄの開口面積より大きい。また、第２接合部３に保持された際の穴部４０ｃの開口部分は、ねじ穴３０ｄの開口部分を含んでいる。ここで、板ばね４ａの弾性変形を考慮して、穴部４０ｃにおける板ばね４ａの幅方向の長さを長くして形成することが好ましい。
【００３９】
変形例にかかる板ばね４ａを用いることによって、ねじ穴３０ｄに挿入した固定ねじ６を第１接合部２の側面に直接当接させて固定することができる。これにより、一段と確実に調整ねじ５ａおよび固定ねじ６による第２接合部２の固定を実現することができる。また、板ばね４を再利用する場合、第１接合部２を固定する際に固定ねじ６によって板ばね４を損傷することがないため、第１接合部２の調整に影響なく使用することができる。
【００４０】
（実施の形態２）
図１１は、本発明の実施の形態２にかかるアダプタが備える板ばねの構成を示す模式図である。図１２は、本発明の実施の形態２にかかるアダプタの要部の構成を説明する図である。図１３は、図１２に示す第２接合部のＣ−Ｃ線断面を模式的に示す断面図である。なお、図１等で上述したものと同じ構成要素には同じ符号を付してある。
【００４１】
図１１に示す板ばね４ｂは、略矩形の平板状をなし、一つの辺の中央部に設けられ、該辺と垂直な方向に突出する被保持部としての係止部４１ａと、係止部４１ａが設けられる辺と直交する辺であって、板ばね４ｂが弾性変形する際の支点となる２つの弾性支点部４１ｂと、を有する。
【００４２】
上述した板ばね４ｂは、図１２，１３に示す第２接合部３ａに保持される。第２接合部３ａは、上述した本体部３０と同様、少なくとも内壁が第２接合部３ａの中心軸Ｎｂに沿って段付き形状をなす中空円筒状の本体部３１の内部の空間において、図２に示す第１接合部２を保持し、上述したねじ穴３０ｂ，３０ｃ，３０ｄを有する。また、第２接合部３ａには、段付き形状部分における中心軸Ｎｂに略直交する段部表面であって、中心軸Ｎｂに沿った方向がねじ穴３０ｄと一致する位置に、中心軸Ｎｂと平行な方向に穿孔された保持孔３０ｅが形成されている。保持孔３０ｅには、係止部４１ａを収容可能な内部空間が形成されている。なお、保持孔３０ｅの深さは、係止部４１ａの突出長さと同等以上あればよい。
【００４３】
板ばね４ｂは、第２接合部３ａに収容された際に、係止部４１ａが第２接合部３ａの保持孔３０ｅに保持されるとともに、実施の形態１と同様に、弾性支点部４１ｂが本体部３１の内側面に当接し、この弾性支点部４１ｂと内側面との当接部分を支点として弾性変形する。このとき、係止部４１ａは、板ばね４ｂの弾性変形に応じて保持孔３０ｅ内の中心軸Ｎｂと垂直な方向、または保持孔３０ｅの内壁に沿って移動する。
【００４４】
上述した実施の形態２によれば、上述した実施の形態１と同様、弾性変形に応じた荷重が加わらない状態で板ばねが第２接合部に保持されるとともに、板ばねに対して第１接合部からの荷重が加わった際に、板ばねが弾性変形する支点部分が第２接合部で保持される部分と異なるようにしたので、第２接合部と板ばねとの間の空間が増大することを抑えて、アダプタ全体が大型化することを抑制するとともに、ずれ（こじれ）の発生を防止し、光軸の調整にかかる調整範囲を維持して、確実な光軸調整を行うことができる。
【００４５】
図１４は、本発明の実施の形態２の変形例にかかるアダプタの板ばねの構成を示す模式図である。図１４に示す板ばね４ｃは、上述した係止部４１ａおよび弾性支点部４１ｂに加え、穴部４１ｃを有する。板ばね４ｃは、図９，１０に示す板ばね４ａと同様に、ねじ穴３０ｄに挿入した固定ねじ６を第１接合部２の側面に直接当接させて固定することができる。これにより、調整ねじ５ａおよび固定ねじ６による第２接合部２の固定を一段と確実に行うことができる。
【００４６】
（実施の形態３）
図１５は、本実施の形態３にかかるアダプタが備える板ばねの構成を示す模式図である。図１６は、本実施の形態３にかかる第２接合部の要部の構成を説明する図である。なお、図１６の断面は、図４の断面に対応している。また、図１等で上述したものと同じ構成要素には同じ符号を付してある。
【００４７】
板ばね４ｄは、図１５に示すように、矩形の平板状をなし、矩形における一組の平行な辺からなる被保持部４２ａを有し、弾性変形時、被保持部４２ａと異なる位置で後述する第２接合部３ｂに当接し、この当接部分を支点として弾性変形する。
【００４８】
第２接合部３ｂは、第２接合部３の中心軸Ｎａに沿って段付き形状をなす中空円筒状の本体部３２の内壁に板ばね４ｄを保持する２つの保持溝３０ｆが設けられている。保持溝３０ｆは、図１６に示す断面図のように、第２接合部３ｂの中心軸Ｎｃの方向に沿って延びるようにそれぞれ穿設される。また、保持溝３０ｆにおいて、ねじ穴３０ｄに近いほうの端部を内縁側端部３０ｇ、ねじ穴３０ｄに遠いほうの端部を外縁側端部３０ｈとする。
【００４９】
このとき、非弾性変形時における板ばね４ｄは、板ばね４ｄと保持溝３０ｆとにおいて、被保持部４２ａの端部間の距離ｄ５は、外縁側端部３０ｈ間の距離ｄ６以下であって、内縁側端部３０ｇ間の距離ｄ７より大きくなるように形成される。
【００５０】
続いて、第２接合部３ｂに対して板ばね４ｄおよび第１接合部２を挿入する場合について図１７，１８を参照して説明する。まず、図１７に示すように、第２接合部３ｂの保持溝３０ｆに板ばね４ｄの被保持部４２ａを挿入する。このとき、板ばね４ｄは、上述した長さの関係により、弾性変形することなく各被保持部４２ａが対応する保持溝３０ｆによって保持される。
【００５１】
その後、図１８に示すように、第１接合部２を本体部３２の内部空間に挿入する。第１接合部２は、板ばね４ｄと本体部３２の内壁との間に挿入され、上述した調整ねじ５ａによって第１接合部２の位置の調整が行われる。
【００５２】
このとき、板ばね４ｄは、第１接合部２から加わる荷重によって弾性変形する。ここで、板ばね４ｄは、被保持部４２ａより内部側で内縁側端部３０ｇに当接し、この当接部分４２ｂを支点として弾性変形する。また、このとき被保持部４２ａは、保持溝３０ｆの壁面には当接せずに、板ばね４ｄの弾性変形に応じて伸縮する。
【００５３】
上述した実施の形態３によれば、上述した実施の形態１と同様、弾性変形に応じた荷重が加わらない状態で板ばねが第２接合部に保持されるとともに、板ばねに対して第１接合部からの荷重が加わった際に、板ばねが弾性変形する支点部分が第２接合部で保持される部分と異なるようにしたので、第２接合部と板ばねとの間の空間が増大することを抑えて、アダプタ全体が大型化することを抑制するとともに、ずれ（こじれ）の発生を防止し、光軸の調整にかかる調整範囲を維持して、確実な光軸調整を行うことができる。
【００５４】
図１９は、本実施の形態３の変形例１にかかるアダプタの板ばねの構成を示す模式図である。図２０は、本実施の形態３の変形例１にかかるアダプタの要部の構成を示す断面図である。図１９に示す板ばね４ｅは、上述した被保持部４２ａおよび弾性支点部４２ｂに加え、穴部４２ｃが設けられている。穴部４２ｃは、図２０に示すように、板ばね４ｅが第２接合部３ｂに保持された際に、ねじ穴３０ｄと重なる位置に配置され、開口面積が、ねじ穴３０ｄの開口面積より大きい。また、第２接合部３ｂに保持された際の穴部４２ｃの開口部分は、ねじ穴３０ｄの開口部分を含んでいる。ここで、板ばね４ｅの弾性変形を考慮して、穴部４２ｃにおける板ばね４ｅの幅方向の長さを長くして形成することが好ましい。
【００５５】
変形例１にかかる板ばね４ｅを用いることによって、ねじ穴３０ｄに挿入した固定ねじ６を第１接合部２の側面に直接当接させて固定することができる。これにより、一段と確実に調整ねじ５ａおよび固定ねじ６による第２接合部３ｂの固定を実現することができる。また、板ばね４ｅを再利用する場合、第１接合部２を固定する際に固定ねじ６によって板ばね４を損傷することがないため、第１接合部２の調整に影響なく使用することができる。
【００５６】
図２１は、本実施の形態３の変形例２にかかるアダプタの要部の構成を示す断面図である。図２１に示す変形例２のように、２つの板ばねからなる板ばねユニット４ｆを、ねじ穴３０ｄの上下に配置するようにしてもよい。板ばねユニット４ｆは、ねじ穴３０ｄの上側に配置される上部側板ばね４３と、ねじ穴３０ｄの下側に配置される下部側板ばね４４とを有する。なお、この際、上部側板ばね４３および下部側板ばね４４は、各板ばねの長手方向の端面が、保持溝３０ｆの外縁側端部３０ｈの壁面とそれぞれ当接することによって第２接合部３ｂに保持される。この場合、板ばねの弾性変形による付勢力によって保持溝３０ｆに保持されるものとなるが、上部側板ばね４３および下部側板ばね４４が保持溝３０ｆから離脱しない程度の付勢力が加わればよいため、上部側板ばね４３および下部側板ばね４４の弾性変形の範囲を極端に狭めることなく、上述した構成と同様の効果を奏する。
【００５７】
以上のように、本発明にかかる光軸調整装置は、装置全体の大型化を抑制するとともに、光軸の調整範囲を維持し、確実に光軸調整を行うことに有用である。
【符号の説明】
【００５８】
１  顕微鏡システム
１ａ  顕微鏡
１ｂ  テレビカメラ
１ｃ  アダプタ
２  第１接合部
３，３ａ，３ｂ  第２接合部
４，４ａ，４ｂ，４ｃ，４ｄ，４ｅ  板ばね
４ｆ  板ばねユニット
５ａ  調整ねじ
６  固定ねじ
１０  ステージ
１１  レボルバ
１２  顕微鏡本体
１３  透過照明用光源
１４  落射照明用光源
１５  鏡筒
１６  双眼部
３０，３１，３２  本体部
３０ａ，３０ｅ  保持孔
３０ｂ，３０ｃ，３０ｄ  ねじ穴
３０ｆ  保持溝
３０ｇ  内縁側端部
３０ｈ  外縁側端部
４０ａ，４１ａ  係止部
４２ａ  被保持部
４０ｂ，４１ｂ  弾性支点部
４０ｃ，４１ｃ，４２ｃ  穴部
４２ｂ  当接部
４３  上部側板ばね
４４  下部側板ばね
【図１】
0005738682.tif 000002
【図２】
0005738682.tif 000003
【図３】
0005738682.tif 000004
【図４】
0005738682.tif 000005
【図５】
0005738682.tif 000006
【図６】
0005738682.tif 000007
【図７】
0005738682.tif 000008
【図８】
0005738682.tif 000009
【図９】
0005738682.tif 000010
【図１０】
0005738682.tif 000011
【図１１】
0005738682.tif 000012
【図１２】
0005738682.tif 000013
【図１３】
0005738682.tif 000014
【図１４】
0005738682.tif 000015
【図１５】
0005738682.tif 000016
【図１６】
0005738682.tif 000017
【図１７】
0005738682.tif 000018
【図１８】
0005738682.tif 000019
【図１９】
0005738682.tif 000020
【図２０】
0005738682.tif 000021
【図２１】
0005738682.tif 000022